(57)【要約】  セル間の干渉を抑制すると共に、ネットワーク全体のスループットを向上させるサーバ装置、基地局装置及び干渉制御方法を提供する。ＵＥ数比率算出部（２０４）は、ＭｅＮＢセルでサービスの提供を受けるＭＵＥ数と、このＭｅＮＢセル内に存在する全てのＨｅＮＢセルでサービスの提供を受けるＨＵＥ数の合計数との比率を算出する。ＡＢＳコンフィギュレーション決定部（２０５）は、ＭＵＥ数と、ＨＵＥ数の合計数との比率が対応付けられたＡＢＳコンフィギュレーションテーブルを備え、ＭＵＥ数とＨＵＥ合計数との比率に応じてＭｅＮＢ又はＨｅＮＢに適用するＡＢＳコンフィギュレーションをＡＢＳコンフィギュレーションテーブルから決定する。
2012108154.tif 000002
【特許請求の範囲】
【請求項１】
基地局装置のセルにおいてサービスの提供を受けている第１の端末数、及び、前記基地局装置のセル内に存在する全ての小型基地局装置が形成する、前記基地局装置のセルよりも小さいセルにおいてサービスの提供を受けている第２の端末数を管理する端末数管理手段と、
前記第１の端末数及び前記第２の端末数の比率を算出する比率算出手段と、
算出された前記比率に基づいて、前記基地局装置の第１の送信及び無送信パターンと、前記小型基地局装置の第２の送信及び無送信パターンとを決定する送信及び無送信パターン決定手段と、
決定された前記第１の送信及び無送信パターン、及び前記第１の送信及び無送信パターンを適用するセルを識別する識別情報と、決定された前記第２の送信及び無送信パターン、及び前記第２の送信及び無送信パターンを適用するセルを識別する識別情報とを含むメッセージを前記基地局装置及び前記小型基地局装置に送信する送信手段と、
を具備するサーバ装置。
【請求項２】
前記送信及び無送信パターン決定手段は、前記比率が前記第１の端末の割合が多いことを示すほど、前記基地局装置の無送信の頻度を少なくし、前記比率が前記第１の端末の割合が少ないことを示すほど、前記基地局装置の無送信の頻度を多くするよう定義された複数の送信及び無送信パターンを含むテーブルを備え、前記比率に応じて、前記基地局装置に適用する送信及び無送信パターンを前記テーブルから決定する請求項１に記載のサーバ装置。
【請求項３】
前記送信及び無送信パターン決定手段は、前記比率が前記第１の端末の割合が少ないことを示すほど、前記小型基地局装置の無送信の頻度を少なくし、前記比率が前記第１の端末の割合が多いことを示すほど、前記小型基地局装置の無送信の頻度を多くするよう定義された複数の送信及び無送信パターンを含むテーブルを備え、前記比率に応じて、前記小型基地局装置に適用する送信及び無送信パターンを前記テーブルから決定する請求項１に記載のサーバ装置。
【請求項４】
前記送信及び無送信パターン決定手段は、前記第１の送信及び無送信パターンと前記第２の送信及び無送信パターンとの両方、またはいずれかを決定する請求項１に記載のサーバ装置。
【請求項５】
前記送信手段は、決定された前記第１の送信及び無送信パターンが前回決定された第１の送信及び無送信パターンと異なる場合、前記第１の送信及び無送信パターンと、前記第１の送信及び無送信パターンを適用するセルを識別する識別情報とを含むメッセージを前記基地局装置及び前記小型基地局装置に送信する請求項１に記載のサーバ装置。
【請求項６】
前記送信手段は、決定された前記第２の送信及び無送信パターンが前回決定された第２の送信及び無送信パターンと異なる場合、前記第２の送信及び無送信パターンと、前記第２の送信及び無送信パターンを適用するセルを識別する識別情報とを含むメッセージを前記基地局装置及び前記小型基地局装置に送信する請求項１に記載のサーバ装置。
【請求項７】
サービスを提供している端末数をカウントするカウント手段と、
カウントされた前記端末数と、カウントを行ったセルを識別する識別情報とを含むメッセージを生成するメッセージ生成手段と、
カウントされた前記端末数が所定の閾値を超えた場合、または周期的に前記メッセージ生成手段にメッセージの生成を指示する指示手段と、
生成された前記メッセージを送信する送信手段と、
を具備する基地局装置。
【請求項８】
前記カウント手段は、端末のサービス品質を端末数に反映してカウントする請求項７に記載の基地局装置。
【請求項９】
基地局装置のセル内に存在し、前記基地局装置のセルよりも小さいセルを形成する小型基地局装置であって、
サービスを提供している端末数をカウントするカウント手段と、
カウントされた前記端末数と、カウントを行ったセルを識別する識別情報とを含むメッセージを生成するメッセージ生成手段と、
カウントされた前記端末数が所定の閾値を超えた場合、または周期的に前記メッセージ生成手段にメッセージの生成を指示する指示手段と、
生成された前記メッセージを送信する送信手段と、
を具備する小型基地局装置。
【請求項１０】
前記カウント手段は、端末のサービス品質を端末数に反映してカウントする請求項９に記載の小型基地局装置。
【請求項１１】
基地局装置のセルにおいてサービスの提供を受けている第１の端末数、及び、前記基地局装置のセル内に存在する全ての小型基地局装置が形成する、前記基地局装置のセルよりも小さいセルにおいてサービスの提供を受けている第２の端末数を管理する端末数管理工程と、
前記第１の端末数及び前記第２の端末数の比率を算出する比率算出工程と、
算出された前記比率に基づいて、前記基地局装置の第１の送信及び無送信パターンと、前記小型基地局装置の第２の送信及び無送信パターンとを決定する送信及び無送信パターン決定工程と、
決定された前記第１の送信及び無送信パターン、及び前記第１の送信及び無送信パターンを適用するセルを識別する識別情報と、決定された前記第２の送信及び無送信パターン、及び前記第２の送信及び無送信パターンを適用するセルを識別する識別情報とを含むメッセージを前記基地局装置及び前記小型基地局装置に送信する送信工程と、
を具備する干渉制御方法。
【発明の詳細な説明】
【技術分野】
【０００１】
本発明は、基地局装置の下り送信を制御し、基地局装置間の干渉を制御するサーバ装置、基地局装置、小型基地局装置及び干渉制御方法に関する。
【背景技術】
【０００２】
近年、携帯電話の不感地帯の補完又はデータトラフィック分散を目的として、Ｐｉｃｏ ｅＮＢ又はＨｏｍｅ ｅＮＢ（以下、これらを総称して「ＨｅＮＢ」という）と呼ばれる小型基地局装置の開発が行われている。ＨｅＮＢは、各家庭内又はオフィス内のような限定された狭いエリアのみをカバーする目的で敷設されるため、従来から敷設されている大型基地局装置（Ｍａｃｒｏ ｅＮＢ、以下「ＭｅＮＢ」という）と比較してトラフィック集中による混雑が起こり難く、高いスループットが期待できる。しかしながら、特に、家庭内に設置されたＨｅＮＢは利用者が簡単に設置場所を変更できる等、通信事業者が運用状況を管理することが難しいため、ＨｅＮＢはＭｅＮＢとの間で干渉を起こし得ることが知られている。【０００３】
図１は、ＭｅＮＢのセル内にＨｅＮＢが１台配置され、さらにＭｅＮＢと通信する移動局（Ｍａｃｒｏ Ｕｓｅｒ Ｅｑｕｉｐｍｅｎｔ、以下「ＭＵＥ」という）及びＨｅＮＢと通信する移動局（Ｈｏｍｅ Ｕｓｅｒ Ｅｑｕｉｐｍｅｎｔ、以下「ＨＵＥ」という）がＭｅＮＢ及びＨｅＮＢのセルにそれぞれ在圏した場合の例である。ここで、ＭｅＮＢとＨｅＮＢの距離が近いと仮定した場合、ＨＵＥは希望波であるＨｅＮＢからの下り信号のみならず、干渉波であるＭｅＮＢからの下り信号を同時に受信することになる。この場合、ＨＵＥの受信品質が悪化するため、スループットは低下する。同様に、ＭＵＥがＨｅＮＢのセルに近づいた場合、ＭＵＥはＨｅＮＢからの干渉を受け、スループットが低下する。【０００４】
この課題を解決する方法として、非特許文献１等に示される、ＡＢＳ（Almost Blank Subframe）と呼ばれる方法が検討されている。これは、ＭｅＮＢ及びＨｅＮＢのいずれか一方、または双方が定期的に下り送信を止めるもので、これにより与干渉基地局（aggressor）が送信を止めたサブフレームにおいては、被干渉基地局（victim）は干渉を受けずに済むため、被干渉基地局に在圏するＵＥのスループットは改善する。例えば、ＭｅＮＢが４サブフレーム毎に下り送信を止める様子を図２に示す。
【先行技術文献】
【非特許文献】
【０００５】
【非特許文献１】R1-105779 " Way Forward on time-domain extension of Rel 8/9 backhaul-based ICIC" (RAN1)
【発明の概要】
【発明が解決しようとする課題】
【０００６】
ここで、図３Ａに示すように、ＭｅＮＢセルでサービスの提供を受けているＭＵＥ数が、そのＭｅＮＢセル内に存在するＨｅＮＢセルでサービスの提供を受けているＨＵＥ数よりも多い場合、ＭｅＮＢがＡＢＳを多く適用すると、ＨＵＥへの干渉を抑制することができるものの、ネットワーク全体のスループットが低下してしまう。【０００７】
一方、図３Ｂに示すように、ＭＵＥ数がＨＵＥ数よりも少ない場合、ＨｅＮＢがＡＢＳを多く適用すると、ＭＵＥへの干渉を抑制することができるものの、ネットワーク全体のスループットが低下してしまう。【０００８】
本発明の目的は、セル間の干渉を抑制すると共に、ネットワーク全体のスループットを向上させるサーバ装置、基地局装置、小型基地局装置及び干渉制御方法を提供することである。
【課題を解決するための手段】
【０００９】
本発明のサーバ装置は、基地局装置のセルにおいてサービスの提供を受けている第１の端末数、及び、前記基地局装置のセル内に存在する全ての小型基地局装置が形成する、前記基地局装置のセルよりも小さいセルにおいてサービスの提供を受けている第２の端末数を管理する端末数管理手段と、前記第１の端末数及び前記第２の端末数の比率を算出する比率算出手段と、算出された前記比率に基づいて、前記基地局装置の第１の送信及び無送信パターンと、前記小型基地局装置の第２の送信及び無送信パターンとを決定する送信及び無送信パターン決定手段と、決定された前記第１の送信及び無送信パターン、及び前記第１の送信及び無送信パターンを適用するセルを識別する識別情報と、決定された前記第２の送信及び無送信パターン、及び前記第２の送信及び無送信パターンを適用するセルを識別する識別情報とを含むメッセージを前記基地局装置及び前記小型基地局装置に送信する送信手段と、を具備する構成を採る。【００１０】
本発明の基地局装置は、サービスを提供している端末数をカウントするカウント手段と、カウントされた前記端末数と、カウントを行ったセルを識別する識別情報とを含むメッセージを生成するメッセージ生成手段と、カウントされた前記端末数が所定の閾値を超えた場合、または周期的に前記メッセージ生成手段にメッセージの生成を指示する指示手段と、生成された前記メッセージを送信する送信手段と、を具備する構成を採る。【００１１】
本発明の小型基地局装置は、基地局装置のセル内に存在し、前記基地局装置のセルよりも小さいセルを形成する小型基地局装置であって、サービスを提供している端末数をカウントするカウント手段と、カウントされた前記端末数と、カウントを行ったセルを識別する識別情報とを含むメッセージを生成するメッセージ生成手段と、カウントされた前記端末数が所定の閾値を超えた場合、または周期的に前記メッセージ生成手段にメッセージの生成を指示する指示手段と、生成された前記メッセージを送信する送信手段と、を具備する構成を採る。【００１２】
本発明の干渉制御方法は、基地局装置のセルにおいてサービスの提供を受けている第１の端末数、及び、前記基地局装置のセル内に存在する全ての小型基地局装置が形成する、前記基地局装置のセルよりも小さいセルにおいてサービスの提供を受けている第２の端末数を管理する端末数管理工程と、前記第１の端末数及び前記第２の端末数の比率を算出する比率算出工程と、算出された前記比率に基づいて、前記基地局装置の第１の送信及び無送信パターンと、前記小型基地局装置の第２の送信及び無送信パターンとを決定する送信及び無送信パターン決定工程と、決定された前記第１の送信及び無送信パターン、及び前記第１の送信及び無送信パターンを適用するセルを識別する識別情報と、決定された前記第２の送信及び無送信パターン、及び前記第２の送信及び無送信パターンを適用するセルを識別する識別情報とを含むメッセージを前記基地局装置及び前記小型基地局装置に送信する送信工程と、を具備するようにした。
【発明の効果】
【００１３】
本発明によれば、セル間の干渉を抑制すると共に、ネットワーク全体のスループットを向上させることができる。
【図面の簡単な説明】
【００１４】
【図１】ＭｅＮＢ内のＨＵＥに干渉を与える様子を示す模式図
【図２】ＭｅＮＢ及びＨｅＮＢの送信パターンを示す模式図
【図３Ａ】ＭＵＥ数がＨＵＥ数より多い場合を示す模式図、
【図３Ｂ】ＭＵＥ数がＨＵＥ数より少ない場合を示す模式図
【図４】本発明の一実施の形態に係る基地局の構成を示すブロック図
【図５】閾値と閾値判定の様子を示す図
【図６】本発明の一実施の形態に係るＯＭＣの構成を示すブロック図
【図７】ＡＢＳコンフィギュレーションテーブルを示す図
【図８】図４に示した基地局のＵＥ数報告メッセージ送信手順を示すフロー図
【図９】図６に示したＯＭＣのＡＢＳコンフィギュレーション設定処理手順を示すフロー図
【図１０】ＭｅＮＢに適用するＡＢＳコンフィギュレーションを変更する様子を示す概念図
【図１１】ＨｅＮＢに適用するＡＢＳコンフィギュレーションを変更する様子を示す概念図
【図１２】ＨｅＮＢ用ＡＢＳコンフィギュレーションテーブルを示す図
【図１３】ＭｅＮＢ及びＨｅＮＢ用ＡＢＳコンフィギュレーションテーブルを示す図
【発明を実施するための形態】
【００１５】
以下、本発明の実施の形態について、図面を参照して詳細に説明する。
【００１６】
（一実施の形態）
図４は、本発明の一実施の形態に係る基地局（ＭｅＮＢ及びＨｅＮＢ）１００の構成を示すブロック図である。以下、図４を用いて基地局１００の構成について説明する。
【００１７】
ＱｏＳ情報取得部１０１は、基地局１００のセルがサービスを提供しているＵＥのＱｏＳ情報を取得し、取得したＱｏＳ情報をサービスＵＥ数カウント部１０２に出力する。
【００１８】
サービスＵＥ数カウント部１０２は、ＱｏＳ情報取得部１０１から出力されたＱｏＳ情報を係数として、サービスの提供を受けているＵＥ数をカウントする。具体的には、（サービスの提供を受けているＵＥ数）＝Σ（ＵＥｘで要求されるＱｏＳ）／（基準となるＱｏＳ）によってカウントされる。ただし、ｘは１からＵＥ数である。
【００１９】
上記の式によれば、ＵＥｘで要求されるＱｏＳの値が基準となるＱｏＳの値以上の場合は１台分以上としてカウントされ、逆に、ＵＥｘで要求されるＱｏＳの値が基準となるＱｏＳの値より小さい場合は１台分以下としてカウントされる（なお、小数点以下は、切り捨てても切り上げてもよい）。このように、ＱｏＳを考慮することにより、より実情に即したＵＥ数をカウントすることができる。なお、サービスの提供を受けているＵＥ数として、具体的には、ＲＲＣ＿ＣＯＮＮＥＣＴＥＤ状態のＵＥ数をカウントする。カウントされたＵＥ数はメッセージ生成指示部１０３及びメッセージ生成部１０５に出力される。
【００２０】
メッセージ生成指示部１０３は、サービスＵＥ数カウント部１０２から出力されたＵＥ数を監視し、ＵＥ数が更新された場合、メッセージ生成部１０５にＵＥ数報告メッセージの生成を指示する。具体的には、メッセージ生成指示部１０３には、図５に示すように、下限閾値（ｔｈ１）及び上限閾値（ｔｈ２）の２つの閾値が設定され、ＵＥ数が上限閾値（ｔｈ２）から下限閾値（ｔｈ１）を下回って変動した場合、またはＵＥ数が下限閾値（ｔｈ１）から上限閾値（ｔｈ２）を上回って変動した場合、ＵＥ数報告メッセージの生成を指示する。図５の例では、ｔ１、ｔ２及びｔ３のタイミングで指示を行う。これにより、頻繁にＵＥ数が変動しても、報告回数を抑制することができる。なお、メッセージ生成指示部１０３は、メッセージ生成の指示をＵＥ数の更新に基づいて行うのではなく、周期的に行ってもよい。
【００２１】
セル識別情報管理部１０４は、セルの識別情報（セルＩＤ）を管理し、ＵＥ数がカウントされたセルの識別情報をメッセージ生成部１０５に出力する。
【００２２】
メッセージ生成部１０５は、メッセージ生成指示部１０３からメッセージ生成指示が出力された場合、サービスＵＥ数カウント部１０２から出力されたＵＥ数と、セル識別情報管理部１０４から出力されたセルの識別情報とを含めてＵＥ数報告メッセージを生成し、生成したＵＥ数報告メッセージをメッセージ送信部１０６に出力する。
【００２３】
メッセージ送信部１０６は、メッセージ生成部１０５から出力されたＵＥ数報告メッセージを、基地局を管理するＯＭＣ（Operation and Maintenance Center）に送信する。
【００２４】
メッセージ受信部１０７は、ＯＭＣから送信されたＡＢＳコンフィギュレーションメッセージを受信し、受信したＡＢＳコンフィギュレーションメッセージをＡＢＳコンフィギュレーション解析部１０８に出力する。
【００２５】
ＡＢＳコンフィギュレーション解析部１０８は、メッセージ受信部１０７から出力されたＡＢＳコンフィギュレーションメッセージを解析し、ＡＢＳコンフィギュレーション及びセルの識別情報を取得する。取得されたＡＢＳコンフィギュレーション及びセルの識別情報はスケジューリング部１０９に出力される。
【００２６】
スケジューリング部１０９は、ＡＢＳコンフィギュレーション解析部１０８から出力されたＡＢＳコンフィギュレーション及びセルの識別情報に基づいて、該当するセルにおけるＡＢＳパターンを決定する。スケジューリング部１０９は、決定したＡＢＳパターンに基づくスケジューリング指示をデータ信号生成部１１０に出力する。
【００２７】
データ信号生成部１１０は、スケジューリング部１０９から出力されたスケジューリング指示に基づいて、データ信号を生成し、生成したデータ信号を無線部１１１に出力する。
【００２８】
無線部１１１は、データ信号生成部から出力されたデータ信号をアンテナ１１２を介してＵＥに無線送信する。
【００２９】
図６は、本発明の一実施の形態に係るＯＭＣ２００の構成を示すブロック図である。以下、図６を用いてＯＭＣ２００の構成について説明する。
【００３０】
メッセージ受信部２０１は、ＭｅＮＢ及びＨｅＮＢから送信されたＵＥ数報告メッセージを受信し、受信したＵＥ数報告メッセージをサービスＵＥ数管理部２０２に出力する。
【００３１】
サービスＵＥ数管理部２０２は、メッセージ受信部２０１から出力されたＵＥ数報告メッセージを解析し、サービスの提供を受けているＵＥ数及びセルの識別情報を取得する。取得されたＵＥ数及びセルの識別情報は、ＵＥ数比率算出部２０４に出力される。
【００３２】
基地局位置判定部２０３は、ＭｅＮＢセルと、そのＭｅＮＢセル内に存在するＨｅＮＢセルとの位置関係を判定し、判定された位置関係をＵＥ数比率算出部２０４に出力する。この位置関係の判定方法として、各基地局からＯＭＣに報告されるＮＲ（Neighbor Relation）情報（基地局装置で取得した隣接セルの情報）を用いる方法がある。具体的には、ＭｅＮＢセルのＮＲ情報にＨｅＮＢセルの情報が含まれている場合には、ＭｅＮＢセルの中にＨｅＮＢセルが存在していると判定することができる。また、ＨｅＮＢセルのＮＲ情報にＭｅＮＢセルの情報が含まれている場合にも、同様に、ＭｅＮＢセルの中にＨｅＮＢセルが存在していると判定することができる。
【００３３】
また、別の判定方法として、ＯＭＣがＭｅＮＢ及びＨｅＮＢの位置情報及びセル範囲情報をデータベースとして保持しており、ＭｅＮＢセル内に存在するＨｅＮＢセルの関係を判定することができる。
【００３４】
ＵＥ数比率算出部２０４は、基地局位置判定部２０３から出力されたＭｅＮＢセルと、そのＭｅＮＢセル内に存在するＨｅＮＢセルとの位置関係に基づいて、各セルにおけるＵＥ数を取得し、ＭＵＥ数と、ＨＵＥ合計数との比率を算出する。算出されたＵＥ数の比率はＡＢＳコンフィギュレーション決定部２０５に出力される。
【００３５】
ＡＢＳコンフィギュレーション決定部２０５は、図７に示すような、ＵＥ数比率とＡＢＳコンフィギュレーションとが対応付けられたＡＢＳコンフィギュレーションテーブルを備え、ＵＥ数比率算出部２０４から出力されたＵＥ数の比率に基づいて、ＭｅＮＢ及びＨｅＮＢに適用するＡＢＳコンフィギュレーションをＡＢＳコンフィギュレーションテーブルからそれぞれ決定する。決定されたＡＢＳコンフィギュレーションはＡＢＳコンフィギュレーションメッセージ生成部２０６に出力される。なお、ＡＢＳコンフィギュレーションは、ＭｅＮＢセル及びＨｅＮＢセルの両方、またはいずれか一方に適用されるものとして決定されてもよい。
【００３６】
ここで、図７に示すＡＢＳコンフィギュレーションテーブルは、０が送信、１が無送信をそれぞれ示しており、ＡＢＳコンフィギュレーション番号が小さいほどＡＢＳが少なく、使用できるリソースが多くなり、逆に、ＡＢＳコンフィギュレーション番号が大きいほどＡＢＳが多く、使用できるリソースが少なくなる。例えば、図７において、ＡＢＳコンフィギュレーション番号＝０は全てのサブフレームを送信することを意味しており、ＡＢＳコンフィギュレーション番号＝１は８サブフレーム毎に下り送信を止めることを意味している。また、ＡＢＳコンフィギュレーション番号＝７は３サブフレームから４サブフレーム毎に下り送信を行うことを意味している。
【００３７】
また、ＡＢＳコンフィギュレーションテーブルは、ＭｅＮＢセルでサービスの提供を受けているＵＥ数の比率が多いほど、小さいＡＢＳコンフィギュレーション番号に対応付けられており、ＭｅＮＢセルでサービスの提供を受けているＵＥ数の比率が少ないほど、大きいＡＢＳコンフィギュレーション番号に対応付けられている。
【００３８】
ＡＢＳコンフィギュレーションメッセージ生成部２０６は、ＡＢＳコンフィギュレーション決定部２０５から出力されたＡＢＳコンフィギュレーションと、このＡＢＳコンフィギュレーションを適用するセルの識別情報とを含めてＡＢＳコンフィギュレーションメッセージを生成し、生成したＡＢＳコンフィギュレーションメッセージをメッセージ送信部２０７に出力する。
【００３９】
メッセージ送信部２０７は、ＡＢＳコンフィギュレーションメッセージ生成部２０６から出力されたＡＢＳコンフィギュレーションメッセージをＭｅＮＢ及びＨｅＮＢに送信する。ただし、メッセージ送信部２０７は、前回送信したＡＢＳコンフィギュレーションを記憶しておき、今回送信するＡＢＳコンフィギュレーションが前回と異なる場合にＡＢＳコンフィギュレーションメッセージを送信する。すなわち、今回送信するＡＢＳコンフィギュレーションが前回と同じ場合には、ＡＢＳコンフィギュレーションメッセージを送信しない。これにより、シグナリング量を低減することができる。
【００４０】
次に、図４に示した基地局１００のＵＥ数報告メッセージ送信手順について図８を用いて説明する。図８において、ステップ（以下、「ＳＴ」という）３０１では、メッセージ生成指示部１０３がサービスの提供を受けているＵＥ数の上限閾値及び下限閾値を設定し、ＳＴ３０２では、サービスＵＥ数カウント部１０２がセル毎にサービスの提供を受けているＵＥ数をカウントする。
【００４１】
ＳＴ３０３では、メッセージ生成指示部１０３が、ＳＴ３０２においてカウントされたＵＥ数がＳＴ３０１において設定された上限閾値又は下限閾値を超えたか否かを判定し、超えたと判定された場合（ＹＥＳ）にはＳＴ３０４に移行し、超えないと判定された場合（ＮＯ）にはＳＴ３０２に戻る。
【００４２】
ＳＴ３０４では、メッセージ送信部１０６がＵＥ数報告メッセージをＯＭＣに送信し、ＵＥ数報告メッセージ送信手順を終了する。
【００４３】
次に、図６に示したＯＭＣ２００のＡＢＳコンフィギュレーション設定処理の手順について図９を用いて説明する。図９において、ＳＴ４０１では、メッセージ受信部２０１がＵＥ数報告メッセージを受信し、ＳＴ４０２では、サービスＵＥ数管理部２０２がサービスの提供を受けているＵＥ数及びセル識別情報を取得する。
【００４４】
ＳＴ４０３では、ＵＥ数比率算出部２０４が、ＭＵＥ数と、ＨＵＥの合計数との比率を算出し、ＳＴ４０４では、ＡＢＳコンフィギュレーション決定部２０５が、ＳＴ４０３において算出された比率に基づいて、ＡＢＳコンフィギュレーションを決定する。
【００４５】
ＳＴ４０５では、メッセージ送信部２０７が、ＳＴ４０４において決定されたＡＢＳコンフィギュレーションが前回決定されたＡＢＳコンフィギュレーションから変更するか否かを判定する。変更する場合（ＹＥＳ）にはＳＴ４０６に移行し、変更しない場合（ＮＯ）にはＡＢＳコンフィギュレーション設定処理を終了する。
【００４６】
ＳＴ４０６では、メッセージ送信部２０７が、変更されたＡＢＳコンフィギュレーションを含むＡＢＳコンフィギュレーションメッセージを送信する。
【００４７】
次に、ＭｅＮＢに適用するＡＢＳコンフィギュレーションを変更する場合について図１０に示す具体例を挙げて説明する。ここでは、まず、ＭｅＮＢ１セル（Ｍ１）でサービスの提供を受けているＵＥのうち２台がＨｅＮＢ１（Ｈ１）セルに移動し、また、別の３台がＨｅＮＢ２セル（Ｈ２）に移動して、移動した各セルでサービスが提供される場合を想定する。
【００４８】
また、ここでは、ＡＢＳをＭｅＮＢセルにのみ適用するものとする。ＨｅＮＢセルは、ＭｅＮＢセルからの干渉を受けるＵＥに対して、ＭｅＮＢセルでＡＢＳとなる期間のリソースを割り当てることにより干渉を回避する。
【００４９】
以下、ＵＥ移動後のＡＢＳコンフィギュレーション設定手順を図１０に示した番号に沿って説明する。１−（１）：ＭｅＮＢ１、ＨｅＮＢ１及びＨｅＮＢ２はＵＥ数報告メッセージをＯＭＣに送信する。このとき、ＭｅＮＢ１のＵＥ数報告メッセージには、ＵＥ数６、セルの識別情報Ｍ１が含まれる。また、ＨｅＮＢ１のＵＥ数報告メッセージには、ＵＥ数３、セルの識別情報Ｈ１が含まれる。また、ＨｅＮＢ２のＵＥ数報告メッセージには、ＵＥ数４、セルの識別情報Ｈ２が含まれる。
【００５０】
ＯＭＣでは、ＵＥ数報告メッセージに含まれるＵＥ数及びセルの識別情報を対応付けて保持する。
【００５１】
１−（２）：ＯＭＣは、１−（１）において取得したＵＥ数に基づいて、ＭｅＮＢセルでサービスの提供を受けているＵＥ数と、ＭｅＮＢセル内に存在するＨｅＮＢセルでサービスの提供を受けているＵＥ数との比率を算出する。この比率（ｘ）は、例えば、（ＭＵＥ数）／（ＨＵＥ合計数）として求めることができる。この場合、ＵＥ移動後の比率（ｘ）は０．８５となる。
【００５２】
１−（３）：ＯＭＣは算出された比率に対応するＡＢＳコンフィギュレーションを図７に示したＡＢＳコンフィギュレーションテーブルから選択する。比率（ｘ）が０．８５の場合、ＡＢＳコンフィギュレーションは３又は４が選択されるが、ここでは３が選択されるものとする。なお、図７のＡＢＳコンフィギュレーションテーブルによれば、複数のＡＢＳコンフィギュレーションがある範囲の比率に対応付けられているが、いずれのＡＢＳコンフィギュレーションを選択するかは任意とする。ただし、前回と同じＡＢＳコンフィギュレーションを選択可能であれば、前回と同じＡＢＳコンフィギュレーションメッセージを送信する必要がないので、シグナリング量を抑えることができる。
【００５３】
１−（４）：ＭｅＮＢ１に適用するＡＢＳコンフィギュレーションがＵＥ移動前のＡＢＳコンフィギュレーション１から３に変更されたため、ＯＭＣはＭｅＮＢ１、ＨｅＮＢ１及びＨｅＮＢ２にＡＢＳコンフィギュレーションメッセージを送信する。各基地局に送信するＡＢＳコンフィギュレーションメッセージには、ＡＢＳコンフィギュレーション３、セルの識別情報Ｍ１が含まれる。
【００５４】
各基地局は、ＯＭＣからＡＢＳコンフィギュレーションメッセージを受信すると次のように動作する。ＭｅＮＢ１は、セルＭ１でＡＢＳコンフィギュレーション３のＡＢＳパターンを設定し、設定したＡＢＳパターンで下り送信を停止する。
【００５５】
また、ＨｅＮＢ１は、セルＨ１でサービスを提供しているＵＥのうち、セルＭ１から干渉を受けているＵＥがある場合、その干渉を受けているＵＥへのデータ送信をセルＭ１でのＡＢＳ期間のリソースを用いて行う。
【００５６】
同様に、ＨｅＮＢ２は、セルＨ２でサービスを提供しているＵＥのうち、セルＭ１から干渉を受けているＵＥがある場合、その干渉を受けているＵＥへのデータ送信をセルＭ１でのＡＢＳ期間のリソースを用いて行う。
【００５７】
このような手順によって、ＭｅＮＢに適用するＡＢＳコンフィギュレーションの変更処理を行う。
【００５８】
次に、ＨｅＮＢに適用するＡＢＳコンフィギュレーションを変更する場合について図１１に示す具体例を挙げて説明する。ここでも、まず、ＭｅＮＢ１セル（Ｍ１）でサービスの提供を受けているＵＥのうち２台がＨｅＮＢ１（Ｈ１）セルに移動し、また、別の３台がＨｅＮＢ２セル（Ｈ２）に移動して、移動した各セルでサービスが提供される場合を想定する。
【００５９】
また、ここでは、ＡＢＳをＨｅＮＢセルにのみ適用するものとする。ＭｅＮＢセルは、ＨｅＮＢセルからの干渉を受けるＵＥに対して、ＨｅＮＢセルでＡＢＳとなる期間のリソースを割り当てることにより干渉を回避する。
【００６０】
以下、ＵＥ移動後のＡＢＳコンフィギュレーション設定手順を図１１に示した番号に沿って説明する。
【００６１】
２−（１）：ＭｅＮＢ１、ＨｅＮＢ１及びＨｅＮＢ２はＵＥ数報告メッセージをＯＭＣに送信する。このとき、ＭｅＮＢ１のＵＥ数報告メッセージには、ＵＥ数６、セルの識別情報Ｍ１が含まれる。また、ＨｅＮＢ１のＵＥ数報告メッセージには、ＵＥ数３、セルの識別情報Ｈ１が含まれる。また、ＨｅＮＢ２のＵＥ数報告メッセージには、ＵＥ数４、セルの識別情報Ｈ２が含まれる。
【００６２】
ＯＭＣでは、ＵＥ数報告メッセージに含まれるＵＥ数及びセルの識別情報を対応付けて保持する。
【００６３】
２−（２）：ＯＭＣは、２−（１）において取得したＵＥ数に基づいて、ＭｅＮＢセルでサービスの提供を受けているＵＥ数と、ＭｅＮＢセル内に存在するＨｅＮＢセルでサービスの提供を受けているＵＥ数との比率を算出する。この比率（ｘ）は、例えば、（ＭＵＥ数）／（ＨＵＥ合計数）として求めることができる。この場合、ＵＥ移動後の比率（ｘ）は０．８５となる。
【００６４】
２−（３）：ＯＭＣは算出された比率に対応し、ＨｅＮＢに適用するＡＢＳコンフィギュレーションを図１２に示したＡＢＳコンフィギュレーションテーブルから選択する。比率（ｘ）が０．８５の場合、ＡＢＳコンフィギュレーションは３又は４が選択されるが、ここでは４が選択されるものとする。なお、図１２に示したＡＢＳコンフィギュレーションテーブルは、図７に示したＡＢＳコンフィギュレーションテーブルとは、比率とＡＢＳコンフィギュレーション番号とが対応する順番が逆になっている。
【００６５】
２−（４）：ＨｅＮＢに適用するＡＢＳコンフィギュレーションがＵＥ移動前のＡＢＳコンフィギュレーション６から４に変更されたため、ＯＭＣはＭｅＮＢ１、ＨｅＮＢ１及びＨｅＮＢ２にＡＢＳコンフィギュレーションメッセージを送信する。各基地局に送信するＡＢＳコンフィギュレーションメッセージには、ＡＢＳコンフィギュレーション４、セルの識別情報Ｈ１，Ｈ２が含まれる。
【００６６】
各基地局は、ＯＭＣからＡＢＳコンフィギュレーションメッセージを受信すると次のように動作する。ＭｅＮＢ１は、セルＭ１でサービスを提供しているＵＥのうち、セルＨ１又はセルＨ２から干渉を受けているＵＥがある場合、その干渉を受けているＵＥへのデータ送信をセルＨ１又はセルＨ２でのＡＢＳ期間のリソースを用いて行う。
【００６７】
また、ＨｅＮＢ１は、ＡＢＳコンフィギュレーション４のＡＢＳパターンを設定し、設定したＡＢＳパターンで下り送信を停止する。
【００６８】
同様に、ＨｅＮＢ２は、ＡＢＳコンフィギュレーション４のＡＢＳパターンを設定し、設定したＡＢＳパターンで下り送信を停止する。
【００６９】
このような手順によって、ＨｅＮＢに適用するＡＢＳコンフィギュレーションの変更処理を行う。
【００７０】
このように、本実施の形態によれば、ＯＭＣは、ＭｅＮＢセルでサービスの提供を受けるＭＵＥ数と、このＭｅＮＢセル内に存在する全てのＨｅＮＢセルでサービスの提供を受けるＨＵＥ数の合計数との比率が対応付けられたＡＢＳコンフィギュレーションテーブルを備え、ＭＵＥ数とＨＵＥ合計数との比率を算出し、算出した比率に応じてＭｅＮＢ又はＨｅＮＢに適用するＡＢＳコンフィギュレーションをＡＢＳコンフィギュレーションテーブルから決定することにより、周辺の基地局に与える干渉を抑制すると共に、ネットワーク全体のスループットの低下を抑制することができる。
【００７１】
なお、本実施の形態では、ＡＢＳコンフィギュレーションテーブルをＭｅＮＢ用とＨｅＮＢ用とに分けて説明したが、図１３に示すように、ＭｅＮＢ用とＨｅＮＢ用とを１つに統合してもよい。
【００７２】
また、本実施の形態では、複数のＡＢＳコンフィギュレーションがある範囲の比率に対応付けられている場合、任意のＡＢＳコンフィギュレーションを選択するものとして説明したが、ＭｅＮＢセル及びＨｅＮＢセルの両方にＡＢＳを適用する場合、ＭｅＮＢセル及びＨｅＮＢセルでそれぞれ異なるＡＢＳコンフィギュレーションを選択するようにしてもよい。例えば、ＭｅＮＢセルに小さい方のＡＢＳコンフィギュレーションを選択し、ＨｅＮＢセルに大きい方のＡＢＳコンフィギュレーションを選択する。このように、それぞれ異なるＡＢＳコンフィギュレーションを適用することにより、ＭｅＮＢセルはＨｅＮＢから干渉を受けないリソースを確保することができ、ＨｅＮＢはＭｅＮＢから干渉を受けないリソースを確保することができる。
【００７３】
また、本実施の形態では、ＯＭＣがＡＢＳコンフィギュレーションと、このＡＢＳコンフィギュレーションを適用するセルの識別情報とを含めたＡＢＳコンフィギュレーションメッセージをＭｅＮＢ及びＨｅＮＢに送信するものとして説明したが、ＡＢＳコンフィギュレーションの代わりに計４０ビットで構成されるＡＢＳパターンを送信してもよい。
【００７４】
２０１１年２月１０日出願の特願２０１１−０２７４３５の日本出願に含まれる明細書、図面及び要約書の開示内容は、すべて本願に援用される。
【産業上の利用可能性】
【００７５】
本発明にかかるサーバ装置、基地局装置、小型基地局装置及び干渉制御方法は、移動通信システム等に適用できる。
【符号の説明】
【００７６】
１０１  ＱｏＳ情報取得部
１０２  サービスＵＥ数カウント部
１０３  メッセージ生成指示部
１０４  セル識別情報管理部
１０５  メッセージ生成部
１０６  メッセージ送信部
１０７  メッセージ受信部
１０８  ＡＢＳコンフィギュレーション解析部
１０９  スケジューリング部
１１０  データ信号生成部
１１１  無線部
１１２  アンテナ
２０１  メッセージ受信部
２０２  サービスＵＥ数管理部
２０３  基地局位置判定部
２０４  ＵＥ数比率算出部
２０５  ＡＢＳコンフィギュレーション決定部
２０６  ＡＢＳコンフィギュレーションメッセージ生成部
２０７  メッセージ送信部
【図１】
2012108154.tif 000003
【図２】
2012108154.tif 000004
【図３Ａ】
2012108154.tif 000005
【図３Ｂ】
2012108154.tif 000006
【図４】
2012108154.tif 000007
【図５】
2012108154.tif 000008
【図６】
2012108154.tif 000009
【図７】
2012108154.tif 000010
【図８】
2012108154.tif 000011
【図９】
2012108154.tif 000012
【図１０】
2012108154.tif 000013
【図１１】
2012108154.tif 000014
【図１２】
2012108154.tif 000015
【図１３】
2012108154.tif 000016
【国際調査報告】
2012108154.tif 000017
2012108154.tif 000018
2012108154.tif 000019
2012108154.tif 000020